(57)【要約】【課題】  研究者、開発者が特許の熟練者と同様にＩＰＤＬ等を利用してＦターム等による検索が容易に行えるようにする検索支援装置と検索支援プログラムとを提供する。【解決手段】  既知の公報番号を第１の検索エンジンで検索して得たFタームのテーマコードを第２の検索エンジンで検索してタームリストを得ると共にこのタームリストに第１の検索エンジンで得たFタームを解除可能な識別を付して表示すると共に検索式を生成し第３の検索エンジンでFタームによる検索を行い、検索結果を第１の検索エンジンに送出して得た検索結果をダウンロードしてローカルなデータベースを構築するものとした。【選択図】    図１
2014002563.tif 000002
【特許請求の範囲】
【請求項１】
Ｆターム分類体系で定義されるテーマコードとＦタームとを付与された産業財産権に関する文献を蓄積し、少なくとも公報番号を検索キーとした検索と、テーマコードによる検索と、テーマコードとＦタームとの組合せによる検索が可能なデータベースを用い、ユーザの操作するコンピュータ端末により情報を検索する検索支援装置であって、
ユーザが産業財産権に関する法区分並びに出願番号，公開番号又は登録番号の少なくとも一つを入力する入力部と、
ユーザが前記入力部に入力された番号を検索キーとして前記データベースによる検索を指示する第１の操作部と、
ユーザがテーマコードを検索キーとして前記データベースによる検索を指示する第２の操作部と、
ユーザが生成された検索式または再生成された検索式を検索キーとして前記データベースによる検索を指示する第３の操作部と
を備え、
前記第１の操作部への操作により、入力された前記番号による前記データベースの検索結果からテーマコードとＦタームとを抽出するステップと、前記抽出したテーマコードとＦタームと組合せの内のテーマコードとＦタームの観点区分とを共通にするテーマコードとＦタームとを組み合わせたコードを論理和してできた項をＦタームの観点区分毎に作成するステップと、前記Ｆタームの観点区分毎に作成された前記項を論理積してでできた検索式を生成するステップと、をテーマコード毎に実行し、
前記第２の操作部への操作により、前記第１の操作部への操作により抽出した前記テーマコードによる前記データベースの検索結果として得た前記テーマコードに対応するＦタームリストのデータであるＦタームリストデータを取得するステップと、前記取得した前記Ｆタームリストデータを基に前記抽出したＦタームと他のＦタームとを識別可能に表示するステップと、ユーザにＦタームを取捨選択させて前記抽出したＦタームを修正させて、修正された前記抽出したＦタームを基に前記検索式を再生成するステップと、を実行する、
ことを特徴とする検索支援装置。
【請求項２】
前記データベースは通信ネットワークを介して情報を検索する１つまたは複数の検索エンジンを含み、
１つ又は複数の前記検索エンジンのＵＲＬ情報を記憶する記憶手段と、
を備え、
前記第１の操作部、前記第２の操作部または第３の操作部のうちの一つの操作部への指示により、前記記憶手段から接続する検索エンジンのＵＲＬ情報が読出され、前記読出されたＵＲＬの検索エンジンによる検索が行われる、
ことを特徴とする請求項１に記載の検索支援装置。
【請求項３】
予めデータべースに検索した結果として生成され、通信回線を介さずにユーザの操作するコンピュータ端末からテーマコードを検索キーとして検索されてＦタームのＦタームリストに対応するデータであるＦタームリストデータを出力するローカルなデータベースを備え、
前記第１の操作部または第３の操作部のうちの一つの操作部への操作により、前記記憶手段から接続する検索エンジンのＵＲＬ情報が読出されて前記読出されたＵＲＬの検索エンジンによる検索が行われ、
前記第２の操作部への指示により、前記ローカルなデータベースが検索される、
ことを特徴とする請求項２に記載の検索支援装置。
【請求項４】
前記第２の操作部への操作により、前記記憶手段から接続する検索エンジンのＵＲＬ情報を読出してテーマコードによる検索を前記検索エンジンにて行い、検索結果として得たテーマコードに対応するＦタームリストに対応するデータであるＦタームリストデータをテーマコードと共に前記記憶装置に保存し、
前記第２の操作部の操作によるテーマコードによる検索が指示されたときに、前記記憶装置に前記テーマコードが保存されているか否かを確認して前記記憶装置に前記テーマコードが保存されているときは前記記憶装置よりＦタームリストに対応するデータを読出す、
ことを特徴とする請求項２に記載の検索支援装置。
【請求項５】
前記第２の操作部への操作により、第２の検索エンジンの検索回答として取得した前記Ｆタームリストデータの表示部はＦターム毎にマウス等のポインティングデバイスで選択状態と非選択状態を選択可能に構成され、
初期状態では、前記第１の検索エンジンの検索回答として入手したＦタームが選択状態として前記Ｆタームリストデータの表示部に表示されることを特徴とする請求項１乃至請求項４のうちの一つに記載の検索支援装置。
【請求項６】
前記Ｆタームリストデータにおける選択状態のＦタームにより検索式を生成し、前記第３の操作部の操作により、前記生成された検索式による検索結果を得ることを特徴とする請求項５に記載の検索支援装置。
【請求項７】
第３の検索エンジンに検索式を送信した結果として取得した複数の公報番号、種別及び法区分を保存するステップと、
前記第１の記憶手段に記憶された検索エンジンのＵＲＬ情報を元にネットワーク通信装置を介して第１の検索エンジンに接続して前記保存した法区分、番号及び種別を示す情報を送信するステップと、前記第１の検索エンジンの検索結果としてヒットした公報データを連続してダウンロードするステップと、前記ダウンロードした公報データをデータベース化してローカルデータベースとするステップと、
を実行する、
ことを特徴とする請求項２乃至請求項６のうちの一つに記載の検索支援装置。
【請求項８】
Ｆターム分類体系で定義されるテーマコードとＦタームとを付与された産業財産権に関する文献を蓄積し、少なくとも公報番号を検索キーとした検索と、テーマコードによる検索と、テーマコードとＦタームとの組合せによる検索が可能なデータベースを用い、情報を検索する検索支援プログラムであって、
ユーザの操作するコンピュータ端末に、
ユーザが産業財産権に関する法区分並びに出願番号，公開番号又は登録番号の少なくとも一つを入力する入力機能と、
ユーザが前記入力機能に入力された番号を検索キーとして前記データベースによる検索を指示する第１の操作機能と、
ユーザがテーマコードを検索キーとして前記データベースによる検索を指示する第２の操作機能と、
ユーザが生成された検索式または再生成された検索式を検索キーとして前記データベースによる検索を指示する第３の操作機能と
を実現させ、
前記第１の操作機能への操作により、入力された前記番号による前記データベースの検索結果からテーマコードとＦタームとを抽出するステップと、前記抽出したテーマコードとＦタームと組合せの内のテーマコードとＦタームの観点区分とを共通にするテーマコードとＦタームとを組み合わせたコードを論理和してできた項をＦタームの観点区分毎に作成するステップと、前記Ｆタームの観点区分毎に作成された前記項を論理積してでできた検索式を生成するステップと、をテーマコード毎に実行させ
前記第２の操作機能への操作により、前記第１の操作機能への操作により抽出した前記テーマコードによる前記データベースの検索結果として得た前記テーマコードに対応するＦタームリストのデータであるＦタームリストデータを取得するステップと、前記取得した前記Ｆタームリストデータを基に前記抽出したＦタームと他のＦタームとを識別可能に表示するステップと、ユーザにＦタームを取捨選択させて前記抽出したＦタームを修正させて、修正された前記抽出したＦタームを基に前記検索式を再生成するステップと、を実行させる、
ことを特徴とする検索支援プログラム。
【発明の詳細な説明】
【技術分野】
【０００１】
本発明は、予め公報番号が解っている特許等の１つの技術文献から類似する複数の特許公報等の技術文献の検索を支援する検索支援装置と検索支援プログラムとに関する。
【背景技術】
【０００２】
出願前調査及び公知例調査等の調査・検索にはデータベースが主に利用される。データベースの中でも特許電子図書館（ＩＰＤＬ）は無償で利用でき且つ接続も容易であるため、研究者、開発者に広く利用されている。ところで検索を行う際に最初の手がかりとなるものがキーワードのみの場合もあるが、キーワード検索などで幾つかの類似公報を抽出した後に抽出した公報に付与された分類等を参考として更に精度の高い検索を行いたい場合がある。然るに、公報に付与されたＦＩ記号及びＦターム等の分類記号を参考にして検索式を再構築し、検索を行うことは特許検索の初心者には無理がある。
【０００３】
ここで、Ｆターム分類体系では、発明をテーマコードとＦタームとを組み合わせたもので分類する。
Ｆタームは、国際特許分類（ＩＰＣ）により区分される各技術分野における技術的観点（例えば、機能、構造、形式、用途、材料、製法等）及び文献検索上有用な観点を選び、これらを観点ごと細目に展開して作成したものです。
Ｆタームは、観点区分と同一観点細目区分との組合せである。
例えば、Ｆタームは、英字２桁（観点区分）と数字２桁（同一観点細目区分）の合計４桁で構成される。
一部のテーマについては、さらに付加コードが設定されることがある。付加コードはＦタームの後ろに”．”を付けて付加される。
【０００４】
既知の公報を基に検索を行う乃至検索を容易にするため記号コードを分り易く表示する従来技術がある。
特許文献１：特開平５−１３５１０９号公報 
特許文献２：特開２００２−１７５３３１号公報
特許文献３：特開２００３−１４１１６４号公報
特許文献４：特開２００３−０４４４９３号公報
特許文献５：特開２００６−１９５８０８号公報
特許文献６：特開２０１１−２０４００９号公報
【０００５】
特許文献１は既知の公報に含まれるキーワードを参照してデータベースを検索する開示である。
特許文献２は検索の集合として得た公報に付与された多観点特許分類を多観点分類表データベースを参照して出現頻度順に観点の説明と共に並べ、技術の内容を分り易くしている。
特許文献３は既知の特許文献のデータをデータベースから読み出して多観点特許分類記号を抽出し、多観点特許分類記号を順次検索項目として特許情報データベースから特許文献を検索し、検索された特許文献毎にその文献をヒットさせた多観点特許分類記号の数を計数して特許文献の類似度を求めるものである。
特許文献４は特定の文献集合における分類を抽出して頻度を求め傾向分析を行うものであって、検索自体を支援するものではない。
特許文献５は文献集合における分類を抽出して分類表上に頻度と共に表示するものである。
特許文献６はアイデアの整理支援を目的とし抽出Ｆタームをツリー状に表示されたテーブル上に強調表示するものである。
【発明の概要】
【発明が解決しようとする課題】
【０００６】
特許文献１〜特許文献６の開示は検索支援装置として単体で機能できる構成が明示されておらず、また分類・キーワード等の頻度を用いて表示するものであって、実際に検索の支援が行われるものではない。加えてＦターム等のデータベースの所在についての記載も無いため、実在物としての全体構成が不明瞭であり、実務に対応しにくいという問題があった。また、現在までに研究者、開発者が特許の熟練者と同様にＩＰＤＬ等を利用してＦターム等による検索が容易に行えるようにした製品の出現は無く、新しい検索支援装置の開発が急務となっていた。
【課題を解決するための手段】
【０００７】
上記の目的を達成するために、本発明に係るＦターム分類体系で定義されるテーマコードとＦタームとを付与された産業財産権に関する文献を蓄積し、少なくとも公報番号を検索キーとした検索と、テーマコードによる検索と、テーマコードとＦタームとの組合せによる検索が可能なデータベースを用い、ユーザの操作するコンピュータ端末により情報を検索する検索支援装置を、ユーザが産業財産権に関する法区分並びに出願番号，公開番号又は登録番号の少なくとも一つを入力する入力部と、ユーザが前記入力部に入力された番号を検索キーとして前記データベースによる検索を指示する第１の操作部と、ユーザがテーマコードを検索キーとして前記データベースによる検索を指示する第２の操作部と、ユーザが生成された検索式または再生成された検索式を検索キーとして前記データベースによる検索を指示する第３の操作部とを備え、前記第１の操作部への操作により、入力された前記番号による前記データベースの検索結果からテーマコードとＦタームとを抽出するステップと、前記抽出したテーマコードとＦタームと組合せの内のテーマコードとＦタームの観点区分とを共通にするテーマコードとＦタームとを組み合わせたコードを論理和してできた項をＦタームの観点区分毎に作成するステップと、前記Ｆタームの観点区分毎に作成された前記項を論理積してでできた検索式を生成するステップと、をテーマコード毎に実行し、前記第２の操作部への操作により、前記第１の操作部への操作により抽出した前記テーマコードによる前記データベースの検索結果として得た前記テーマコードに対応するＦタームリストのデータであるＦタームリストデータを取得するステップと、前記取得した前記Ｆタームリストデータを基に前記抽出したＦタームと他のＦタームとを識別可能に表示するステップと、ユーザにＦタームを取捨選択させて前記抽出したＦタームを修正させて、修正された前記抽出したＦタームを基に前記検索式を再生成するステップと、を実行する、ものとした。
【０００８】
検索支援装置は、Ｆターム分類体系で定義されるテーマコードとＦタームとを付与された産業財産権に関する文献を蓄積し、少なくとも公報番号を検索キーとした検索と、テーマコードによる検索と、テーマコードとＦタームとの組合せによる検索が可能なデータベースを用い、ユーザの操作するコンピュータ端末により情報を検索するものである。
入力部で、ユーザが産業財産権に関する法区分並びに出願番号，公開番号又は登録番号の少なくとも一つを入力する。
第１の操作部で、ユーザが前記入力部に入力された番号を検索キーとして前記データベースによる検索を指示する。
第２の操作部で、ユーザがテーマコードを検索キーとして前記データベースによる検索を指示する。
第３の操作部で、ユーザが生成された検索式または再生成された検索式を検索キーとして前記データベースによる検索を指示する。
前記第１の操作部への操作により、入力された前記番号による前記データベースの検索結果からテーマコードとＦタームとを抽出するステップと、前記抽出したテーマコードとＦタームと組合せの内のテーマコードとＦタームの観点区分とを共通にするテーマコードとＦタームとを組み合わせたコードを論理和してできた項をＦタームの観点区分毎に作成するステップと、前記Ｆタームの観点区分毎に作成された前記項を論理積してでできた検索式を生成するステップと、をテーマコード毎に実行する。
前記第２の操作部への操作により、前記第１の操作部への操作により抽出した前記テーマコードによる前記データベースの検索結果として得た前記テーマコードに対応するＦタームリストのデータであるＦタームリストデータを取得するステップと、前記取得した前記Ｆタームリストデータを基に前記抽出したＦタームと他のＦタームとを識別可能に表示するステップと、ユーザにＦタームを取捨選択させて前記抽出したＦタームを修正させて、修正された前記抽出したＦタームを基に前記検索式を再生成する。
その結果、ユーザである開発者、研究者が観点区分とＦタームの関係を容易に理解し、効率良くデータベースを検索できる。
【０００９】
以下に、本発明の実施形態に係る検索支援装置を説明する。本発明は、以下に記載した実施形態のいずれか、またはそれらの中の二つ以上が組み合わされた態様を含む。
【００１０】
本発明の実施形態に係る検索支援装置は、前記データベースは通信ネットワークを介して情報を検索する１つまたは複数の検索エンジンを含み、１つ又は複数の前記検索エンジンのＵＲＬ情報を記憶する記憶手段と、を備え、前記第１の操作部、前記第２の操作部または第３の操作部のうちの一つの操作部への指示により、前記記憶手段から接続する検索エンジンのＵＲＬ情報が読出され、前記読出されたＵＲＬの検索エンジンによる検索が行われる。
【００１１】
本発明の実施形態に係る検索支援装置は、予めデータべースに検索した結果として生成され、通信回線を介さずにユーザの操作するコンピュータ端末からテーマコードを検索キーとして検索されてＦタームのＦタームリストに対応するデータであるＦタームリストデータを出力するローカルなデータベースを備え、前記第１の操作部または第３の操作部のうちの一つの操作部への操作により、前記記憶手段から接続する検索エンジンのＵＲＬ情報が読出されて前記読出されたＵＲＬの検索エンジンによる検索が行われ、前記第２の操作部への指示により、前記ローカルなデータベースが検索される。
【００１２】
本発明の実施形態に係る検索支援装置は、前記第２の操作部への操作により、前記記憶手段から接続する検索エンジンのＵＲＬ情報を読出してテーマコードによる検索を前記検索エンジンにて行い、検索結果として得たテーマコードに対応するＦタームリストに対応するデータであるＦタームリストデータをテーマコードと共に前記記憶装置に保存し、前記第２の操作部の操作によるテーマコードによる検索が指示されたときに、前記記憶装置に前記テーマコードが保存されているか否かを確認して前記記憶装置に前記テーマコードが保存されているときは前記記憶装置よりＦタームリストに対応するデータを読出す。
【００１３】
本発明の実施形態に係る検索支援装置は、前記第２の操作部への操作により、第２の検索エンジンの検索回答として取得した前記Ｆタームリストデータの表示部はＦターム毎にマウス等のポインティングデバイスで選択状態と非選択状態を選択可能に構成され、
初期状態では、前記第１の検索エンジンの検索回答として入手したＦタームが選択状態として前記Ｆタームリストデータの表示部に表示される。
【００１４】
本発明の実施形態に係る検索支援装置は、前記Ｆタームリストデータにおける選択状態のＦタームにより検索式を生成し、前記第３の操作部の操作により、前記生成された検索式による検索結果を得る。
【００１５】
本発明の実施形態に係る検索支援装置は、第３の検索エンジンに検索式を送信した結果として取得した複数の公報番号、種別及び法区分を保存するステップと、
前記第１の記憶手段に記憶された検索エンジンのＵＲＬ情報を元にネットワーク通信装置を介して第１の検索エンジンに接続して前記保存した法区分、番号及び種別を示す情報を送信するステップと、前記第１の検索エンジンの検索結果としてヒットした公報データを連続してダウンロードするステップと、前記ダウンロードした公報データをデータベース化してローカルデータベースとするステップと、を実行する。
【００１６】
上記目的を達成するために、本発明の検索支援装置は、コンピュータ端末を用い、通信ネットワークを介して情報を検索する検索支援装置であって、産業財産権に関する法区分並びに出願番号，公開番号又は登録番号の少なくとも一つを入力する入力部、通信ネットワーク上で公報番号を検索する第１の検索エンジンのＵＲＬ情報を記憶する第１の記憶手段及び前記第１の検索エンジンへの接続を指示する第１の操作部、通信ネットワーク上でＦタームリストを検索する第２の検索エンジンのＵＲＬ情報を記憶する第２の記憶手段及び前記第２の検索エンジンへの接続を指示する第２の操作部、通信ネットワーク上でテーマコードとＦタームとにより検索する第３の検索エンジンのＵＲＬ情報を記憶する第３の記憶手段及び前記第３の検索エンジンへの接続を指示する第３の操作部、前記第１の操作部の指示により、前記第１の記憶手段に記憶された検索エンジンのＵＲＬ情報を取得してネットワーク通信装置を介して前記第１の検索エンジンに接続し、前記法区分、番号及び種別を示す情報を送信するステップと、前記第１の検索エンジンの検索結果としてヒットした公報データをダウンロードするステップと、前記ダウンロードしたデータからテーマコードとＦタームとを抽出するステップと、前記抽出したＦタームの観点区分毎に論理和を作成するステップと、前記観点区分毎に作成された論理和の論理積による検索式を生成するステップと、前記第２の操作部の指示により、前記第２の記憶手段に記憶された検索エンジンのＵＲＬ情報を取得してネットワーク通信装置を介して前記第２の検索エンジンに接続し、テーマコードを示す情報を送信するステップと、前記第２の検索エンジンの検索回答としてＦタームのＦタームリストデータを取得し、前記取得したＦタームリストに前記抽出したＦタームと他のＦタームを識別可能に表示するステップと、前記抽出したＦタームを検索者に修正させて、前記検索式を再生成するステップとを有し、前記第３の操作部の操作により、前記第３の記憶手段に記憶された第３の検索エンジンのＵＲＬ情報を取得してネットワーク通信装置を介して前記第３の検索エンジンに接続し、前記生成された検索式を送信することを特徴とする検索支援装置である。
【００１７】
かかる構成により、検索したい特許技術に関連した技術内容を有する公報の法区分、出願番号、公開番号或いは登録番号等が既知であれば、これを用いて検索エンジンに公報番号の検索式を送信し、ヒットした公報データに含まれるテーマコードとＦタームとを入手する。しかしながら入手したテーマコードとＦタームとは元々記号からなるもので、研究者、開発者がこれを理解することは困難である。このため、検索回答として得たＦタームのＦタームリストの検索エンジンにてテーマコードの検索を行う。検索回答としてテーマコード毎のＦタームリストが得られるが、研究者等が検索しようとしている技術内容との関係が分り難い。このため、本発明では、公報番号の検索により入手したＦタームをＦタームリストに他のＦタームと識別可能に表示する。Ｆタームリストは縦軸に観点区分を（ＡＡ）から並べ、横軸にＦタームを上位概念の順に並べたものである。然るに、最初に検索した番号の公報の内容は、目的とする特許文献の公報ではなく、目的とする特許文献に近いが異なる技術内容である。従って、Ｆタームリスト上に目的とする公報と類似するが異なる技術内容の公報にどのようなＦタームが付与されているかを明瞭にするため、他のＦタームと違いが分るように表示することにより、観点区分とＦタームの関係が、開発者、研究者には理解し易くなる。
【００１８】
本発明に係る装置では公報番号の検索とテーマコードの検索とＦタームによる検索とを各々異なる通信ネットワーク上の検索エンジンにて行うため、自社内あるいは検索装置内にこれ等のデータベースを保有する必要が無く、例えばＩＰＤＬの検索エンジンを利用することも可能である。このため支援装置自体を軽量コンパクトな装置とすることが可能である。さらに、本発明の検索支援装置では、ＨＴＭＬフォーマットのＦタームのＦタームリストをダウンロード後、タグを外したデータとしてパソコン画面に表示し、これをマウス等のポインティングデバイスでクリックすることで選択及び非選択状態とすることが可能に構成される。これによって検索者にＦタームを簡易に修正するインターフェイスが提供される。
【００１９】
更に、特許に不慣れな開発者、研究者には識別されたテーマコードとＦタームをどのように組合わせると目的とする技術の集合が得られるか理解し易くするため、Ｆタームを観点区分毎に区分し、例えば観点区分ＡＡのグループ、観点区分ＡＢのグループの様に観点区分毎のＦタームのグループを作成し、グループ中のＦタームを論理和とし、観点区分の異なるＦタームのグループ同士を論理積とした検索式を生成する。
【００２０】
更に、検索式をＦターム検索のＵＲＬの検索エンジンに送出し、検索結果として公報番号を入手する。通常のＩＰＤＬ等の検索では、検索結果の一覧を一件ずつクリックして詳細内容を表示させるが、作業に時間がかかってしまう。このため本発明に係る装置では、検索回答として入手した公報番号を元に、公報番号の検索エンジンのＵＲＬに接続し、コンピューターより検索エンジンに対して法区分、番号及び公報種別を検索キーとして送信し、結果として表示される詳細内容をダウンロードする。 
【００２１】
かかる構成により、ダウンロードした公報データをローカルコンピュータにおいてデータベース化することにより、検索結果をまとめてスクリーニングすることが可能となり、検索効率が格段に向上する。然るに検索結果をダウンロードしてローカルなデータベースを構築する。
【００２２】
上記目的を達成するために、本発明に係るＦターム分類体系で定義されるテーマコードとＦタームとを付与された産業財産権に関する文献を蓄積し、少なくとも公報番号を検索キーとした検索と、テーマコードによる検索と、テーマコードとＦタームとの組合せによる検索が可能なデータベースを用い、情報を検索する検索支援プロフラムを、ユーザの操作するコンピュータ端末に、ユーザが産業財産権に関する法区分並びに出願番号，公開番号又は登録番号の少なくとも一つを入力する入力機能と、ユーザが前記入力機能に入力された番号を検索キーとして前記データベースによる検索を指示する第１の操作機能と、ユーザがテーマコードを検索キーとして前記データベースによる検索を指示する第２の操作機能と、ユーザが生成された検索式または再生成された検索式を検索キーとして前記データベースによる検索を指示する第３の操作機能とを実現させ、前記第１の操作機能への操作により、入力された前記番号による前記データベースの検索結果からテーマコードとＦタームとを抽出するステップと、前記抽出したテーマコードとＦタームと組合せの内のテーマコードとＦタームの観点区分とを共通にするテーマコードとＦタームとを組み合わせたコードを論理和してできた項をＦタームの観点区分毎に作成するステップと、前記Ｆタームの観点区分毎に作成された前記項を論理積してでできた検索式を生成するステップと、をテーマコード毎に実行させ、前記第２の操作機能への操作により、前記第１の操作機能への操作により抽出した前記テーマコードによる前記データベースの検索結果として得た前記テーマコードに対応するＦタームリストのデータであるＦタームリストデータを取得するステップと、前記取得した前記Ｆタームリストデータを基に前記抽出したＦタームと他のＦタームとを識別可能に表示するステップと、ユーザにＦタームを取捨選択させて前記抽出したＦタームを修正させて、修正された前記抽出したＦタームを基に前記検索式を再生成するステップと、を実行させるものとした。
【００２３】
上記目的を達成するために、本発明にかかる検索支援プログラムは、通信ネットワークを介して情報を検索するものであって、ユーザの操作するコンピュータ端末に、ユーザが産業財産権に関する法区分並びに出願番号，公開番号又は登録番号の少なくとも一つを入力する入力機能と、通信ネットワーク上で公報番号を検索する第１の検索エンジンのＵＲＬ情報を記憶する第１の記憶機能及びユーザが前記第１の検索エンジンへの接続を指示する第１の操作機能と、通信ネットワーク上でＦタームのＦタームリストを検索する第２の検索エンジンのＵＲＬ情報を記憶する第２の記憶機能及びユーザが前記第２の検索エンジンへの接続を指示する第２の操作機能と、通信ネットワーク上でＦタームにより検索する第３の検索エンジンのＵＲＬ情報を記憶する第３の記憶機能及びユーザが前記第３の検索エンジンへの接続を指示する第３の操作機能と、を実現させ、前記第１の操作機能への指示により、前記第１の記憶機能に記憶された検索エンジンのＵＲＬ情報を取得し、ネットワーク通信装置を介して前記第１の検索エンジンに接続して前記法区分、番号及び種別を示す情報を送信するステップと、前記第１の検索エンジンの検索結果としてヒットした公報データをダウンロードするステップと、前記ダウンロードしたデータからテーマコードとＦタームとを抽出するステップと、前記抽出したＦタームの観点区分毎に論理和を作成するステップと、前記観点区分毎に作成された論理和の論理積による検索式を生成するステップと、前記第２の操作機能への指示により、前記第２の記憶手段に記憶された検索エンジンのＵＲＬ情報を取得し、ネットワーク通信装置を介して前記第２の検索エンジンに接続してテーマコードを示す情報を送信するステップと、前記第２の検索エンジンの検索回答としてＦタームのＦタームリストに対応するデータであるタームリストデータを取得し、前記取得した前記タームリストデータに前記抽出したＦタームと他のＦタームを識別可能に表示するステップと、前記抽出したＦタームを検索者に修正させて、前記検索式を再生成するステップと、前記第３の操作機能への操作により、前記第３の記憶手段に記憶された第３の検索エンジンのＵＲＬ情報を取得し、ネットワーク通信装置を介して前記第３の検索エンジンに接続して前記生成された検索式を送信するステップと、を実行させる、ものとした。
上記本発明の構成により、上述した本発明にかかる検索支援装置の効果と同等の効果を奏することができる。
【発明の効果】
【００２４】
以上説明したように、本発明に係る検索支援装置と検索支援プログラムとは、その構成により、以下の効果を有する。
目的とする技術内容に類する公報番号を基に、短時間で正確に目的とする技術内容の集合を形成できる効果がある。
【図面の簡単な説明】
【００２５】
【図１】本発明の１実施例の正面図である。
【図２】Fタームの強調表示の変更を示す説明図である。
【図３】検索支援装置１に送信される検索回答の例である。
【図４】生成された法区分を示すＰの記号と公報種別を示すＡの記号及び公報番号の例である。
【発明を実施するための形態】
【００２６】
以下、本発明を実施するための形態を、図面を参照して説明する。
【００２７】
図１は、本発明の第一の実施形態の正面図である。図２は、Fタームの強調表示の変更を示す説明図である。
【００２８】
以下に添付図面と共に本発明の一実施例を説明する。図１は、本発明に係る検索支援装置の１実施例の正面図で、検索支援装置１は図示せぬＣＰＵを備えたコンピュータ端末装置を基本構成としている。検索支援装置１は通信ネットワーク２を介して第１乃至第３の検索エンジン３、３’、３’’に接続される。検索支援装置１には数字等の入力に用いるキーパッド４、ポインティングデバイスのマウス５を備える。検索支援装置の内部には少なくとも３種類の情報を記憶可能な第１〜第３の記憶手段６〜８が備えられる。検索支援装置１には更に公報の番号を入力する番号入力部９を備えると共に、法区分を指定入力するスイッチ１０並びに番号入力部９に入力された番号の種類を特定するスイッチ１１が備えられる。参照番号１２は第１の操作部として機能する番号による検索を指定する釦である。参照番号１３は第２の操作部として機能するテーマコードによる検索を指定する釦である。また、参照番号１４は第３の操作部として機能してＦタームによる検索式の送信を指定する釦である。参照番号１５及び１５’は夫々テーマコードが同一のＦタームの表示窓であり、参照番号１６及び１６’は、複数のテーマコードがある場合に、ＦタームのＦタームリストの検索を行うテーマコードを指定するためのチェックボックスである。参照番号１７はＦタームのＦタームリストであって、Ｆタームの表示窓１５に表示されたＦタームにはマーク１８が付与されて他のＦタームと識別可能に表示される。参照番号１９、１９’はチェックボックスで複数のＦタームの検索式がある場合に何れの検索式を用いて検索するかを指定するものである。参照番号２０、２０’は表示窓１５、１５’に表示されたＦタームをプログラム処理により生成した検索式である。参照番号２１はモニタでＦタームのＦタームリストの表示の他、０−９の数字を表示させ、マウス５等のポインティングデバイスによる番号の入力及びスクリーニング時の表示部としても利用される。
【００２９】
以下に本発明の検索支援装置の作用について説明する。 
調査目的とする技術に近い公報番号を入力部９にキーパッド４より入力する。番号の入力は図示せぬ番号一覧をモニタ２１に表示させておいてマウス５でクリックすることでも可能である。公報を特定するには法区分の指定と番号の種別の指定が必要である。本実施例ではスイッチ１０，１１を用いて法区分の指定と番号種別の指定を行っているが、モニタ２１上に法区分及び番号種別の指定を行う入力部を設けてこれ等を指定することもできる。
【００３０】
番号の入力、法区分の指定並びに番号の種別の指定が完了したら第１の操作部１２を操作し、第１の記憶手段６に記憶された番号検索のための検索エンジンのＵＲＬ情報を取得して通信ネットワーク２を介して第１の検索エンジン３に接続し、スイッチ１０で指定された法区分、番号入力部９に入力された番号並びにスイッチ１１で指定された種別を検索エンジンに送信する。公報番号を用いて検索エンジンで検索を行い、結果を得る方法については同一出願人に係る特許４３７０５９６号に詳細に開示してある。
【００３１】
公報番号の検索結果は通信ネットワークを介して検索支援装置１に送信される。実際には検索支援装置が受信した公報データをメモリー上においてプログラムで処理するか、一旦ハードディスク等の記憶装置に保存し、保存した公報データをプログラム処理してＦタームを抽出する。これらのプログラム及びアルゴリズムは一般的なものである。本発明では公報データをダウンロードした後、プログラム処理してＦタームを抽出するが、メモリー中に置いたデータをプログラム処理しても、結果を保存する必要があるので、結果としてダウンロードする処理となる。抽出したＦタームは表示窓１５、１５’に表示される。
【００３２】
次いでプログラム処理により、表示窓１５，１５’に表示されたＦタームの観点区分毎に論理和を作成し、更に観点区分毎に作成された論理和の論理積による検索式２０，２０’が生成される。ここで観点区分とは図示の例ではテーマコード５Ｋ０３４に続く次の２桁の英字を意味し、この英字２文字が同じＦタームを論理和とし、異なる観点区分のＦタームについては論理積となるように検索式を生成する。
【００３３】
例えば、テーマコード毎の検索式は、Ｆタームの観点区分毎に作成された項を論理積してでできたものであり、項はテーマコードとＦタームの観点区分とを共通にするテーマコードとＦタームとを組み合わせたコードを論理和してできたものである。
【００３４】
次いで第２の操作部１３による指示でコンピュータ装置は記憶手段７に記憶された検索エンジンのＵＲＬ情報を取得し、ネットワーク通信装置を介して第２の検索エンジン３’に接続し、チェックボックス１６，１６’で指定されたテーマコード情報を検索エンジン３’に送信する。
【００３５】
第２の検索エンジン３’の検索回答としてＦタームのＦタームリストデータが検索支援装置１に送信されるので、このタームリストデータをダウンロードする。ダウンロードしたデータをプログラム処理してＦタームと対応した説明部分を抽出し、モニタ２１上にタームリスト１７を表示する。次いで、Ｆターム表示窓１５に表示されたＦタームについてＦタームリスト１７上に他のＦタームと識別可能に表示させる。この実施例では、ＡＡ１６及びＡＡ１７のＦタームの部分にマーク１８が付されて強調表示される。マーク１８に代えて、文字を点滅させたり、色を変える等、他のＦタームと明確に識別させるには種々の方法が適用できる。
【００３６】
マーク１８が付された部分をマウス５等のポインティングデバイスで指定することにより、図２に示すように強調表示を解除させ、また強調表示されていないＦタームの部分をマウス５でクリックすることにより強調表示させることが可能である。即ち、開発者、研究者等の検索者が自己の目的とする技術内容となるように、表示されたタームリストの強調部分を任意に編集可能に構成される。
タームリストの強調表示の変更と同時またはＦタームリストの強調表示の変更後に、図示せぬ指示釦等で指示することにより、Ｆタームの表示窓１５の内容及び検索式２０が更新される。
その結果、「抽出したＦターム」を再生成できる。
【００３７】
次いで第３の操作部１４の操作により、コンピュータ装置が第３の記憶手段８に記憶された第３の検索エンジンのＵＲＬ情報を取得し、通信ネットワーク２を介して前記第３の検索エンジン３’’に接続し、生成された検索式２０を送信する。
【００３８】
検索式２０は研究者、開発者により編集され、より望ましい形態として検索エンジンに送信されることにより、生成された検索式２０による検索結果は目的とするものに近いものとなる。然るに検索内容によってはこのようにして検索式を生成しても多数のデータがヒットすることがある。この場合は、第２の操作部の指定でＦタームのＦタームリスト１７を表示させ、選択するＦタームを変更して再度検索を行っても良く、また、直接検索式２０を書換えて検索を行うこともできる。
【００３９】
第３の検索エンジン３’’の検索回答は公報の法区分、種別及び番号と名称の形式で検索支援装置１に送信される。ここで送信された公報の番号と種別をダウンロードし、第１の操作部１２による操作と同様な機能をプログラムで行うと、第３の検索エンジン３’’の検索回答を基に第１の検索エンジン３による検索を繰返して行い、公報データを検索支援装置１のハードディスク等に連続して保存できる。ここで保存した公報データをデータベース化すると、検索エンジンとの通信を切断した状態で検索結果のスクリーニングを連続して行うことができる。
【００４０】
また、第３の検索エンジン３’’の検索回答は公報の法区分、種別及び番号と名称の形式で検索支援装置１に送信される。図３は検索支援装置１に送信される検索回答の例で、通常は通信ネットワーク２を介してＨＴＭＬ形式のデータとして送信される。検索支援装置１ではプログラム処理によりＨＴＭＬデータからタグを除去し、図４に示すように、法区分を示すＰの記号と公報種別を示すＡの記号及び公報番号を生成する。本装置では例示として公報種別をＡとし、法区分をＰとしているがこれらの記号は検索システムに適合する種々のものを用いることができる。図４に示すデータは検索キーとして第１の検索エンジン３に通信ネットワーク２を介して送信される。検索エンジン１の検索結果として検索支援装置１に送信された公報データは１件毎に公報番号をファイル名として保存するか、１件毎に公報番号に相当するフォルダーを作成し、このフォルダー内にダウンロードする。公報データのダウンロードが完了したら、ダウンロードした公報データから、書誌事項、請求項、図面等をプログラムで抽出してローカルなデータベースを構築する。このデータベースは規模の小さいもので通信ネットワーク２を介さないため高速なスクリーニングが可能となって検索効率が格段に向上する。また、プログラム処理によって、公報データのダウンロードからスクリーニング用のデータベースの作成までを連続して行うことができる。
【００４１】
以上述べてきたように本発明によれば、目的とする技術内容に類する公報番号を基に、短時間で正確に目的とする技術内容の集合を形成できる効果がある。 
【００４２】
実施例は本発明の思想の例示であって、本発明の請求範囲の思想内に置いて種々の変更が可能である。
公報番号を検索する検索エンジンと、Ｆターム分類体系のテーマコードを検索する検索エンジン及びテーマコードとＦタームとを用いて検索する３つの検索エンジンを用いて説明してきたが、１つの検索エンジンでこれらの検索機能があって、コードで検索機能を切り替えることができる場合は、記憶装置６〜８にはＵＲＬに代えてこれらのコードを記録しておき、検索の種類に応じてコードを読み出して検索エンジンに送信することができる。また、検索支援装置１を最小構成とするため、検索に必要なデータを全てネットワーク上の検索エンジンから入手するようにしているが、ＦタームのＦタームリストはテキストで構成されるため、テーマコードのデータのみをローカルな記憶装置に保存し、釦１３が操作された時にローカルなデータを検索してＦタームリスト１７を表示させても良い。また、一般に研究者、開発者は類似する技術内容を検索する機会が多いので、一旦通信回線２を介して入手したＦタームリストを検索支援装置の内部或いは外部の記憶装置に保存しておき、テーマコードの検索が指示された時に該当するＦタームリストが保存されている場合は、第２の検索エンジン３’による検索を行わずに、ローカルなデータを利用することによって、迅速にＦタームリスト１７を表示することができる。
【符号の説明】
【００４３】
１  検索支援装置
２  通信ネットワーク
３  第１の検索エンジン
３’第２の検索エンジン
３’’第３の検索エンジン
４  キーパッド
５  マウス
６  第１の記憶手段
７  第２の記憶手段
８  第３の記憶手段
９  番号入力部
１０  スイッチ
１１  スイッチ
１２〜１４  釦
１５  表示窓
１５’表示窓
１６  チェックボックス
１６’チェックボックス
１７  タームリスト
１８  マーク
１９  チェックボックス
１９’チェックボックス
２０  検索式
２１  検索式
【先行技術文献】
【特許文献】
【００４４】
【特許文献１】特開平５−１３５１０９号公報
【特許文献２】特開２００２−１７５３３１号公報
【特許文献３】特開２００３−１４１１６４号公報
【特許文献４】特開２００３−０４４４９３号公報
【特許文献５】特開２００６−１９５８０８号公報
【特許文献６】特開２０１１−２０４００９号公報
【図１】
2014002563.tif 000003
【図２】
2014002563.tif 000004
【図３】
2014002563.tif 000005
【図４】
2014002563.tif 000006